(57)【要約】      （修正有）【課題】自動車ドアのロック機構に関するキーレスエントリーにおいて、解錠操作をランプ点灯式で認識、確認させる場合に、操作者に対して発光による注気を充分に喚起することができるように構成した自動車のドアノブ発光装置を提供する。【解決手段】リモコンでハンドル６のロック機構の施錠や解錠操作ができるように構成した自動車のドアノブ構造において、ドアノブＡとそれに対向したカバーケースＢの隙間に縦筋状のクリアランス部３を形成し、カバーケースＢの内部に発光体を収納し、リモコン操作によりドアノブＡのロック開閉を行うに際し、発光体からの発光がクリアランス部３より漏光してドアノブＡのロック開閉動作が視覚で認知可能に構成した。【選択図】図２
2015085900.tif 000002
【特許請求の範囲】
【請求項１】
自動車ドア本体に基端部を枢支して水平回動自在に構成したドアノブと、自動車ドア本体にドアノブ先端部に対向して固設したカバーケースとよりなる自動車ハンドル構造において、対向した前記ドアノブ先端部と前記カバーケースとの間にドアノブ水平回動と干渉しないように縦筋状のクリアランス部を形成すると共に、前記カバーケースの内部に発光体を収納し、リモコン操作により前記ドアノブのロック開閉を行うに際し、前記発光体からの発光が縦筋状の前記クリアランス部より漏光して前記ドアノブのロック開閉動作が視覚で認知可能に構成したことを特徴とする自動車のドアノブ発光装置。
【請求項２】
前記発光体は扁平状に形成して、ドアノブ基端部と対向するように前記カバーケースの前端壁に形成した透孔に密着状に装着し、前記発光体の発光が前記透孔を介して前記クリアランス部より縦筋状に漏光拡散するように構成した請求項１に記載の自動車のドアノブ発光装置。
【請求項３】
前記発光体はＬＥＤ発光体で構成し、前記透孔の全体又は上部又は中部又は下部に対応して装着したことを特徴とする請求項１または２に記載の自動車のドアノブ発光装置。
【請求項４】
前記発光体は異なる複数の色彩光を有し、装着する前記透孔の位置によって前記クリアランス部からの発光色彩を変化させることを特徴とする請求項１乃至３のいずれかに記載の自動車のドアノブ発光装置。
【請求項５】
前記透孔の内周側端面は一定の幅員を有し、前記発光体からの拡散光を受けて乱反射すべく構成し、前記クリアランス部からの発光量を可及的に増大させるように構成したことを特徴とする請求項１乃至４のいずれかに記載の自動車のドアノブ発光装置。
【発明の詳細な説明】
【技術分野】
【０００１】
本発明は、リモコンでドア本体のロック機構の施錠、解錠操作ができるように構成した自動車のドアノブ構造において、ロック機構の施錠、解錠操作に応じてドアノブ先基端に縦筋状の発光が現れるように構成した自動車のドアノブ発光装置に関する。
【背景技術】
【０００２】
従来、自動車等の車両のドア開閉はハンドルを構成するレバー状のドアノブを手動で機械的に水平操作して行うものが一般的であるが、かかるドアノブにはドアロック機構が付設されており、ロック機構の施錠、解錠の操作はドアキーを用いて手動で行うものや、赤外線リモコン等による遠隔操作、いわゆるキーレスエントリー構造によるもの等がある。
【０００３】
ところで、最近、赤外線リモコン等による遠隔操作によりドアロック機構の施錠、解錠の操作を行う場合に、特許文献１，２，３等に示すように、自動車の室内ランプやドアの下部等の足元近傍、ドアノブの所定位置等に設けた点灯ランプが照灯するように構成したリモコン操作の発光車両が普及している。これは自動車等の車両の周辺を明るく照明して作業の安全や操作の利便性に役立つようにしたものであると共に、赤外線リモコン等によるドアロック機構の施錠、解錠の動作を操作者に照明で視覚的に認知し得るようにしたものである。
【先行技術文献】
【特許文献】
【０００４】
【特許文献１】特開２００６−９２７９
【特許文献２】特許第３１９３５８７号
【特許文献３】実用新案登録第３１７４１８１号
【発明の概要】
【発明が解決しようとする課題】
【０００５】
しかし、従来のリモコンによる自動車等の車両ドアのロック操作機構、いわゆるキーレスエントリーにおいては、解錠がリモコンによりなされたことを操作者にランプ点灯式で認識、確認させるものであるが、そのための報知ランプ装置が複雑となり、また既存の車内ランプ点灯を利用するものにあっては操作認識を喚起させるだけにしては余りにも報知照明が大掛かりとなり、ランプ形状によってはロック解除の照明認識が十分ではなく操作者に解除動作認識を喚起させるに十分な注気を生起できない等の欠点を有していた。
【０００６】
本発明では、リモコンでドアのロック機構の施錠、解錠操作ができるように構成した自動車のドアノブ構造において、ロック機構の施錠や解錠操作に応じてドアノブとそれに対向したカバーケースの隙間に縦筋状のクリアランス部を形成してそこから縦筋状の発光が行われるように構成し、省電力にもかかわらずランプ光源からの光量は増大し、構造的には簡略ながら操作者が注目しやすい位置と形に光源を配置することができ、従って全体的には操作者に対して発光による注気を充分に喚起することができるように構成した自動車のドアノブ発光装置を提供するものである。
【課題を解決するための手段】
【０００７】
以上のような目的を達成するために、本発明は以下のような自動車のドアノブ発光装置を提供する。
【０００８】
本発明は、自動車ドア本体に基端部を枢支して水平回動自在に構成したドアノブと、自動車ドア本体にドアノブ先端部に対向して固設したカバーケースとよりなる自動車ハンドル構造において、対向した前記ドアノブ先端部と前記カバーケースとの間にドアノブ水平回動と干渉しないように縦筋状のクリアランス部を形成すると共に、前記カバーケースの内部に発光体を収納し、リモコン操作により前記ドアノブのロック開閉を行うに際し、前記発光体からの発光が縦筋状の前記クリアランス部より漏光して前記ドアノブのロック開閉動作が視覚で認知可能に構成したことを特徴とする自動車のドアノブ発光装置を提供せんとするものである。
【０００９】
また、前記発光体は扁平状に形成して、ドアノブ基端部と対向するように前記カバーケースの前端壁に形成した透孔に密着状に装着し、前記発光体の発光が前記透孔を介して前記クリアランス部より縦筋状に漏光拡散するように構成したことにも特徴を有する。
【００１０】
また、前記発光体はＬＥＤ発光体で構成し、前記透孔の全体又は上部又は中部又は下部に対応して装着したことにも特徴を有する。
【００１１】
また、前記発光体は異なる複数の色彩光を有し、装着する前記透孔の位置によって前記クリアランス部からの発光色彩を変化させることにも特徴を有する。
【００１２】
また、前記透孔の内周側端面は一定の幅員を有し、前記発光体からの拡散光を受けて乱反射すべく構成し、前記クリアランス部からの発光量を可及的に増大させるように構成したことにも特徴を有する。
【発明の効果】
【００１３】
請求項１の発明によれば、自動車ドア本体に基端部を枢支して水平回動自在に構成したドアノブと、自動車ドア本体にドアノブ先端部に対向して固設したカバーケースとよりなる自動車ハンドル構造において、対向したドアノブ先端部とカバーケースとの間にドアノブ水平回動と干渉しないように縦筋状のクリアランス部を形成すると共に、カバーケースの内部に発光体を収納したので、リモコン操作によりドアノブのロック開閉を行うに際し、発光体からの発光が縦筋状のクリアランス部より漏光することになり、自動車の他所に設置した照明の形状にはない独特の縦筋状の目立つ発光が操作者の注意を視覚的に喚起し、しかも対向したドアノブ先端部とカバーケースとの間の自然に形成される縦筋状のクリアランス部を利用するため特に発光窓口を設ける必要がなく、構造が簡単で一番目立つ個所で発光することができる効果がある。
【００１４】
このように縦筋状のクリアランス部から発光される縦筋光はその発光位置と発光形状が相俟って操作者に視認しやすく美的センスの感動を与えることもでき、ドアノブのロック開閉動作を視覚で認識することができると共に、暗所で自動車ドア本体開扉のためのドアノブ操作をする際にドアノブの位置を容易に確認することができる効果がある。
【００１５】
更には、ドアノブ内の狭い空間で発光すればよいため消費電力も可及的に低減されるにもかかわらず縦筋状の発光目印として視認しやすく効果的な認知情報付与効果がある。
【００１６】
請求項２の発明によれば、発光体は扁平状に形成して、ドアノブ先端部と対向するようにカバーケースの前端壁に形成した透孔に密着状に装着し、発光体の発光が透孔を介して前記クリアランス部より漏光拡散するように構成したので、発光体の設置に無駄な空間をとる必要がなくカバーケース内にコンパクトに収めることができ、また、発光体の扁平状形状の故に発光が通過する透孔に密着状に装着することができ光の拡散損失を可及的に防止することができ、集中的に縦筋状の狭いクリアランス部から発光することができ、操作者により視覚的に注気を喚起することができる効果がある。
【００１７】
請求項３の発明によれば、発光体はＬＥＤ発光体で構成し、透孔の全体又は上部又は中部又は下部に対応して装着したので、省電力で長期間発光体として使用することができると共に、透孔のどの位置から光を通過させるかをドアノブの形状や大きさに応じて選択して扁平状の発光体を透孔の最適の位置に配設することができる効果がある。
【００１８】
請求項４の発明によれば、発光体は異なる複数の色彩光を有し、装着する透孔の位置によってクリアランス部からの発光色彩を変化させることができるので、単色の発光に比較して透孔の複数の箇所から異なる色彩の発光を照射することができることになり操作者の注気をより喚起することができる効果がある。
【００１９】
請求項５の発明によれば、透孔の内周側端面は一定の幅員を有し、発光体からの拡散光を受けて乱反射すべく構成し、クリアランス部からの発光量を可及的に増大させるように構成したことにより、カバーケースの肉厚を透孔の内周側端面とすることができ、扁平状の発光体を透孔に密着して装着しても透孔端面の幅員が発光体からの光を乱反射し、クリアランス部からの発光量を可及的に増大させて省電力にもかかわらず鮮明な縦筋状の発光を生成することができる効果がある。
【図面の簡単な説明】
【００２０】
【図１】本発明の実施形態に係るドアノブ発光装置の正面図である。
【図２】本発明の実施形態に係るドアノブ発光装置が縦筋光を発した状態を示す正面図である。
【図３】本発明の実施形態に係るドアノブ発光装置の上方概略断面図である。
【図４】本発明の実施形態に係るカバーケース裏面を示す斜視図である。
【図５】本発明の実施形態に係るカバーケースの裏面を示す底面図である。
【図６】図５をＡ方向から見たカバーケースの側面図である。
【図７】図５のＩ−Ｉ断面図である。
【図８】図５のＩＩ−ＩＩ断面図である。
【図９】図４における発光体の乱反射の状態を示す斜視図である。
【図１０】本発明の実施形態に係る発光体の位置を示すカバーケースの側面図である。
【図１１】図７の通孔に透光性フィルムを配設した断面図である。
【発明を実施するための形態】
【００２１】
本発明は、自動車ドア本体に基端部を枢支して水平回動自在に構成したドアノブと、自動車ドア本体にドアノブ先端部に対向して固設したカバーケースとよりなる自動車ハンドル構造において、対向したドアノブ先端部とカバーケースとの間にドアノブ水平回動と干渉しないように縦筋状のクリアランス部を形成すると共に、カバーケースの内部に発光体を収納し、リモコン操作によりドアノブのロック開閉を行うに際し、発光体からの発光が縦筋状のクリアランス部より漏光してドアノブのロック開閉動作が視覚で認知可能に構成した自動車のドアノブ発光装置である。
【００２２】
ここで発光体は、扁平状に形成しカバーケースの前端壁に形成した透孔に密着状に装着している。カバーケースの前端壁はドアノブ先端部と対向しその間に形成された縦筋状のクリアランス部より発光体の発光が透孔を介して漏光拡散する。
【００２３】
また、発光体はＬＥＤ発光体で構成し、透孔の全体又は上部又は中部又は下部のいずれかに対応して装着することによりＬＥＤ発光体からの発光を透孔の所定の位置から照射するように構成してドアノブやカバーケースの位置や大きさに応じて透孔への装着位置を選択できるようにしている。
【００２４】
更には、発光体は異なる複数の色彩光を有し、装着する透孔の位置によってクリアランス部からの発光色彩を変化させるようにしている。
【００２５】
透孔の内周側端面、すなわち、装飾ケースの肉厚の端面は一定の幅員を有しており、かかる透孔に密着して扁平状のＬＥＤ発光体の装着することにより透孔の端面が拡散光を受けて乱反射するように構成している。
【００２６】
このような乱反射により細い縦筋状のクリアランス部からの発光量を可及的に増大させるように構成している。
【００２７】
なお、本発明における「リモコン操作」とは、操作者が意図的にリモコンが備えるスイッチを操作することのみならず、リモコン（主として鍵機能を有するもの全般）と自動車との距離に応じてドアの施錠、解錠等を可能とするもの等も含むものである。すなわち、操作者が自動車に触れることなく施錠、解錠等を行うことができるものによる操作全般を示している。
【００２８】
以下、本発明の一実施形態に係る自動車のドアノブ発光装置１について図面を参照しながら説明する。
【００２９】
なお、本説明中のドアノブ発光装置１における上下・左右の関係は、本説明中で特に明示しない限り、図１に示す通り、上下方向はそのまま上下として説明し、左右方向はそのまま左右として説明する。
【００３０】
また、本説明中において、左右同一又は左右対称等の構造や部品については、原則として同一の符号を付し、左右何れか一方のみを説明して、他方については説明を適宜省略する。
【００３１】
図１に示すように、自動車ボディ２に配設された自動車ドア本体Ｃにはドア開閉のためのハンドル部６が設けられている。
【００３２】
ハンドル部６は、ハンドル部６を上方から視認した簡易断面を示す図３のように、基端部７を自動車ドア本体Ｃに枢支し水平方向に前後回動操作可能に構成したドアノブＡと前端部２０をドアノブＡの先端部８と対向して配設されたカバーケースＢとからなる。
【００３３】
本発明の一実施形態に係る自動車のドアノブ発光装置１は、図２に示すように、対向したドアノブＡ先端部８とカバーケースＢ前端部２０との間に形成される縦筋状の空隙、すなわちクリアランス部３が、後述するカバーケースＢ内に配設された発光体３１の光によって縦筋光３０となり美的効果や操作者の視認のための目印等となるものである。
【００３４】
ドアノブＡは自動車ドア本体Ｃの内部に設けられ自動車ボディ２との鍵係合を可能とする鍵機構（図示せず）に連動連設されており、図３に示すよう、ドアノブＡの基端部７に形成された枢支部９を中心にしてドアノブＡを手前方向に回動操作することにより鍵機構を介し自動車ドア本体Ｃは自動車ボディ２との鍵係合が解除されて自動車ドア本体Ｃがドア開扉可能状態となる。
【００３５】
ドアノブＡは金属或いは強化樹脂を素材としてレバー形状に構成されており、基端部７は枢支部９を構成するために奥方向に幅広形成されている。
【００３６】
なお、自動車ドア本体Ｃの面板４にはドアノブＡの操作が行いやすいようにドアノブＡ裏面と対向する位置に凹部５を形成し手動によるドアノブＡの開閉操作時に指先が入り込みドアノブＡをグリップしやすいようにしている。
【００３７】
かかるドアノブＡの基端部７に形成された枢支部９は、図３に示すように、ドアノブＡ固定のためのロック機構１０が連動連設されている。また、ロック機構１０は自動車ドア本体Ｃの内部に配設され、上述した鍵機構と連動連設すると共に、ロック操作によりドアノブＡと共に自動車ドア本体Ｃの開扉ロックを行う。すなわち、ロック機構１０は手動または赤外線リモコン（図示せず）等の操作によりドアノブＡを固定し自動車ドア本体Ｃが開扉できないようにロックする機構であり、本実施形態では赤外線リモコンによる遠隔操作によってロック機構１０が作動してドアノブＡの施錠、解錠操作ができるように構成している。
【００３８】
ドアノブＡの先端部８端面にはドアノブＡ内部を遮蔽するためにノブ遮壁体１１が設けられている。かかるドアノブＡの先端部８に隣接して自動車ドア本体Ｃの面板４にはカバーケースＢが配設されている。すなわち、ドアノブＡ先端部８に形成したノブ遮壁体１１に対向する位置にドアノブＡに隣接してカバーケースＢが付設されている。
【００３９】
カバーケースＢは図３、図４に示すように、ドアノブＡと同様に金属或いは強化樹脂を素材とした下部開放のドーム形状としドアノブＡ先端形状に連続する同一幅員と面一の高さに構成しており、内部は空洞状態にしている。
【００４０】
すなわち、カバーケースＢの前端部２０の前端面２１はドアノブＡの先端部８のノブ遮壁体１１に対向した垂直面に形成されており、対向したドアノブＡ先端部８とカバーケースＢ前端面２１との間には縦筋状の空隙、すなわちクリアランス部３が形成されている。かかる縦筋状のクリアランス部３は、カバーケースＢ前端部２０にドアノブＡの水平回動が干渉しないように機能し、また後述するようにカバーケースＢ内の発光体３１の光が縦筋に漏れて操作者の視認のための目印となる。
【００４１】
また、図４、図５、図７に示すようにカバーケースＢの内部中央には自動車ドア本体Ｃに裏側からネジで固定するための雌ネジ孔部２４が突設されており、またカバーケースＢの前端壁２２には所定形状の透孔２３が穿設されている。
【００４２】
なお、自動車ドア本体Ｃの面板４側と当接するカバーケースＢ側の端面には、面板４の内部に収まりカバーケースＢを位置決めする位置決め片２５が、カバーケースＢの前端壁２２と連設して突設している。また、位置決め片２５は、雌ネジ孔部２４との位置関係によってカバーケースＢにおける突設箇所が決まるものであり、本実施形態においてはカバーケースＢの前端壁２２に対して若干だけ角度をずらして突設している。
【００４３】
また、本実施形態に係るカバーケースＢは、表面に鍵穴（図示せず）を有さないカバーケースＢについて説明しているが、鍵穴の有無は本発明の要旨の認定に影響を及ぼすものではない。
【００４４】
そして、カバーケースＢの内部には図５〜図８に示すように発光体３１が透孔２３の背後に位置して収納されている。すなわち、発光体３１はＬＥＤ発光体３１であって、ＬＥＤ発光素子３２を透光性、及び防湿性を有するエポキシ樹脂３３でモールドして長方形扁平状に形成し、カバーケースＢの前端壁２２に形成した透孔２３を塞ぐように密着状態で装着されている。従って、ＬＥＤ発光体３１からの発光は透孔２３を介して縦筋状のクリアランス部３より漏光拡散するように構成されている。
【００４５】
なお、モールドされたＬＥＤ発光体３１は、図６、図１０に示すようにＬＥＤ発光素子３２を透孔２３の全体或いはその上部３４又は中部３５又は下部３６のいずれかに向けて密着状に装着するか、モールド内でのＬＥＤ発光素子３２の位置を透孔２３の大きさに応じて決定することにより透孔２３を介してＬＥＤ発光体３１からの光を前方各種方向に照射することができる。透孔２３への発光体３１装着位置は、ドアノブＡやカバーケースＢの位置、大きさ等に応じて選択して縦筋状のクリアランス部３より効果的に漏光拡散することができるように構成する。
【００４６】
なお、縦筋状のクリアランス部３は自動車ドア本体の面板４に沿った縦筋として形成されるのを原則とするが、ドアノブＡとカバーケースＢとの境に形成されることから、図２、図３に示すように、ドアノブＡ先端方向の上面側１２、下面側１３にも形成されて、上面、下面及び縦筋で形成される略コ字状のクリアランス部３とすることも可能である。
【００４７】
従って、縦筋状のクリアランス部３は自動車ボディ２の側面方向に現われてロック解錠動作の目印となると共に、上面、下面のクリアランス部３は、ドア開扉時に足元を照明したり、上方を照らして自動車エンジンキーの確認をしたりするのに便利となる。
【００４８】
また、ＬＥＤ発光体３１は異なる複数の色彩光のＬＥＤ発光素子３２を組合わせて使用したり、図１１に示すように、透孔２３に各種の色付きの透光性フィルム２６を張設したりすることにより縦筋状のクリアランス部３からの拡散漏光に色彩を付与し操作者の注気をより効果的に喚起することができる。特に、図１０に示すように３個のＬＥＤ発光素子３２をＲＧＢ（Ｒｅｄ、Ｇｒｅｅｎ、Ｂｌｕｅ）の三原色として並べて配設した場合には、これらの発光強度を調整することによって拡散漏光の色彩を自由に変化させることができる。
【００４９】
また、鍵穴を有するカバーケースの場合には、カバーケース内にも照射されるようにＬＥＤ発光体３１を配設、または形成することで、鍵穴自身や鍵穴の周縁の隙間から漏光させることができ、暗所での鍵穴の視認も同時に可能とすることができる。
【００５０】
また、ＬＥＤ発光素子３２をモールドするエポキシ樹脂３３は、樹脂自身が有彩色であったり、樹脂表面を着色することで縦筋状のクリアランス部３からの拡散漏光に色彩を付与することもできる。なお、モールドのために使用される樹脂はエポキシ樹脂３３に限定されるものではない。
【００５１】
また、カバーケースＢは図７に示すように強度保持のために一定の肉厚に形成しており、従って透孔２３の内周側端面２７、すなわち、カバーケースＢの肉厚ｔの端面には一定の幅員（ｔ）が形成されることになり、透孔２３の裏側に扁平状のＬＥＤ発光体３１を密着状に取付けた場合に透孔２３の端面が拡散光を受けて図９に示すように乱反射αする。その結果、乱反射αにより細い縦筋状のクリアランス部３からの漏光量を可及的に増大することができる。
【００５２】
また、ＬＥＤ発光体３１に通電するための配線３７は、カバーケースＢ内の発光体３１から伸延し、面板４を貫通して自動車ドア本体Ｃに設けたドアノブＡのロック機構１０と電気的に結線されており、赤外線リモコンの遠隔操作を介してロック機構１０が施錠、解錠動作をした場合にＬＥＤ発光体３１には電気的導通が行われて発光して透孔２３を介して縦筋状のクリアランス部３から縦筋状の照明を行う。
【００５３】
以上のようにカバーケースＢは構成されており、自動車ドア本体Ｃをロック、或いはロック解除するために赤外線リモコンによりドアノブＡ方向に遠隔操作すれば、同時にカバーケースＢ内のＬＥＤ発光体３１に電気導通し発光体が所定の光を照射する。照射された光は透孔２３を介して図２に示すようにクリアランス部３から漏光して自動車ドア本体Ｃの外方向に縦筋状の目印の光模様が発光する。
【００５４】
操作者はかかる発光を視認して現在のリモコン操作状況、すなわちドアノブＡのロック開閉動作を視覚で認識することができると共に、暗所で自動車ドア本体Ｃ開扉のためのドアノブＡ操作をする際にドアノブＡの位置を容易に確認することができる。
【００５５】
特に、縦筋状のクリアランス部３からから発光される縦筋光３０はその発光位置と発光形状が相俟って操作者に視認しやすく美的センスの感動を与えることもできる。更には、ドアノブＡ内の狭い空間で発光すればよいため消費電力も可及的に低減されるにもかかわらず縦筋状の発光目印として視認しやすく効果的な認知情報付与効果がある。
【００５６】
以上、本発明の好ましい実施形態を説明したが、本発明は係る特定の実施形態に限定されるものではなく、特許請求の範囲に記載された本発明の要旨の範囲内において、種々の変形・変更が可能である。
【符号の説明】
【００５７】
Ａ  ドアノブ
Ｂ  カバーケース
Ｃ  自動車ドア本体
ｔ  カバーケースの肉厚（幅員）
α  乱反射
１  ドアノブ発光装置
３  クリアランス部
７  基端部
８  先端部
２２  前端壁
２３  透孔
３１  発光体（ＬＥＤ発光体）
３４  上部
３５  中部
３６  下部
【図１】
2015085900.tif 000003
【図２】
2015085900.tif 000004
【図３】
2015085900.tif 000005
【図４】
2015085900.tif 000006
【図５】
2015085900.tif 000007
【図６】
2015085900.tif 000008
【図７】
2015085900.tif 000009
【図８】
2015085900.tif 000010
【図９】
2015085900.tif 000011
【図１０】
2015085900.tif 000012
【図１１】
2015085900.tif 000013